(57)【要約】【課題】テープに記録された映像信号をＨＤＤやＤＶＤなどからなるデジタル記録媒体にダビングをする際、テープ上の傷等の何らかの原因による映像信号の欠陥、および無記録部分をそのまま記録することになり、デジタル記録媒体上に不要な記録部分ができてしまうという課題があった。【解決手段】映像信号欠陥検出回路５３と同期信号欠陥検出回路５４とコントロール信号欠陥検出回路５５からの欠陥検出信号及び無記録部検出信号に基づき、映像信号補間回路５７が映像メモリ３４を制御して、欠陥が存在する映像や無記録部の映像を他の映像に補間するよう動作することにより、テープ３１からデジタル記録媒体３６へのダビング時に、欠陥や無記録部を省いた良好な映像信号をダビングすることができる。【選択図】図１
2005039648.tif 000002
【特許請求の範囲】
【請求項１】
少なくとも映像信号が記録された第１の記録媒体と、前記第１の記録媒体に記録された映像信号を再生し且つドロップアウト部分及び／または無記録部分を検出する再生信号処理手段と、前記再生信号処理手段からのデジタル映像信号を一時的に記憶する映像信号記憶手段と、前記映像信号記憶手段からの映像信号より映像ストリームを生成するストリーム生成手段と、前記ストリーム生成手段からのストリーム信号を記録する第２の記録媒体と、前記再生信号処理手段で再生されるドロップアウト部分及び／または無記録部分を検出するエラー検出手段と、前記エラー検出手段にて検出された検出結果に基づき前記映像信号記憶手段に記憶されたデジタル映像信号の一部分を削除する削除制御手段とを備えたことを特徴とする信号再生記録装置。
【請求項２】
少なくとも映像信号が記録された第１の記録媒体と、前記第１の記録媒体に記録された映像信号を再生し且つドロップアウト部分及び／または無記録部分を検出する再生信号処理手段と、前記再生信号処理手段からのデジタル映像信号を一時的に記憶する映像信号記憶手段と、前記映像信号記憶手段からの映像信号より映像ストリームを生成するストリーム生成手段と、前記ストリーム生成手段からのストリーム信号を記録する第２の記録媒体と、前記再生信号処理手段で再生されるドロップアウト部分及び／または無記録部分を検出するエラー検出手段と、前記エラー検出手段にて検出された検出結果に基づき前記映像信号記憶手段に記憶されたデジタル映像信号の一部分を他の映像で補間するする補間制御手段とを備えたことを特徴とする信号再生記録装置。
【請求項３】
少なくとも映像信号が記録された第１の記録媒体と、前記第１の記録媒体に記録された映像信号を再生し且つドロップアウト部分及び／または無記録部分を検出する再生信号処理手段と、前記再生信号処理手段からのデジタル映像信号を一時的に記憶する映像信号記憶手段と、前記映像信号記憶手段からの映像信号より映像ストリームを生成するストリーム生成手段と、前記ストリーム生成手段からのストリーム信号を記録する第２の記録媒体と、前記再生信号処理手段で再生されるドロップアウト部分及び／または無記録部分を検出するエラー検出手段と、前記エラー検出手段にて検出された検出結果に基づき前記映像信号記憶手段に記憶されたデジタル映像信号の一部分を削除する削除制御手段と、前記エラー検出手段にて検出された検出結果に基づき前記映像信号記憶手段に記憶されたデジタル映像信号の一部分を他の映像で補間するする補間制御手段と、前記削除制御手段と前記補間制御手段とを切り換え可能な選択手段とを備えたことを特徴とする信号再生記録装置。
【請求項４】
少なくとも映像信号が記録された第１の記録媒体と、前記第１の記録媒体に記録された映像信号を再生し且つドロップアウト部分を検出する再生信号処理手段と、前記再生信号処理手段からのアナログ信号をデジタル信号に変換するアナログ／デジタル変換手段と、前記アナログ／デジタル変換手段からデジタル映像信号を一時的に記憶する映像信号記憶手段と、前記映像信号記憶手段からの映像信号より映像ストリームを生成するストリーム生成手段と、前記ストリーム生成手段からのストリーム信号を記録する第２の記録媒体と、前記第１の記録媒体から再生される同期信号とコントロール信号を再生する制御信号再生手段と、前記再生信号処理手段で再生される連続するドロップアウト期間を検出する第１の検出手段と、前記制御信号再生手段で再生される同期信号の欠落期間を検出する第２の検出手段と、前記制御信号再生手段で再生されるコントロール信号の無記録期間を検出する第３の検出手段と、前記第１〜第３の検出手段にて検出された検出結果に基づき前記映像信号記憶手段に記憶されたデジタル映像信号の一部分を削除する削除制御手段とを備えたことを特徴とする信号再生記録装置。
【請求項５】
少なくとも映像信号が記録された第１の記録媒体と、前記第１の記録媒体に記録された映像信号を再生し且つドロップアウト部分を検出する再生信号処理手段と、前記再生信号処理手段からのアナログ信号をデジタル信号に変換するアナログ／デジタル変換手段と、前記アナログ／デジタル変換手段からデジタル映像信号を一時的に記憶する映像信号記憶手段と、前記映像信号記憶手段からの映像信号より映像ストリームを生成するストリーム生成手段と、前記ストリーム生成手段からのストリーム信号を記録する第２の記録媒体と、前記第１の記録媒体から再生される同期信号とコントロール信号を再生する制御信号再生手段と、前記再生信号処理手段で再生される連続するドロップアウト期間を検出する第１の検出手段と、前記制御信号再生手段で再生される同期信号の欠落期間を検出する第２の検出手段と、前記制御信号再生手段で再生されるコントロール信号の無記録期間を検出する第３の検出手段と、前記第１〜第３の検出手段にて検出された検出結果に基づき前記映像信号記憶手段に記憶されたデジタル映像信号の一部分を補間する補間制御手段とを備えたことを特徴とする信号再生記録装置。
【請求項６】
少なくとも映像信号が記録された第１の記録媒体と、前記第１の記録媒体に記録された映像信号を再生し且つドロップアウト部分を検出する再生信号処理手段と、前記再生信号処理手段からのアナログ信号をデジタル信号に変換するアナログ／デジタル変換手段と、前記アナログ／デジタル変換手段からデジタル映像信号を一時的に記憶する映像信号記憶手段と、前記映像信号記憶手段からの映像信号より映像ストリームを生成するストリーム生成手段と、前記ストリーム生成手段からのストリーム信号を記録する第２の記録媒体と、前記第１の記録媒体から再生される同期信号とコントロール信号を再生する制御信号再生手段と、前記再生信号処理手段で再生される連続するドロップアウト期間を検出する第１の検出手段と、前記制御信号再生手段で再生される同期信号の欠落期間を検出する第２の検出手段と、前記制御信号再生手段で再生されるコントロール信号の無記録期間を検出する第３の検出手段と、前記第１〜第３の検出手段にて検出された検出結果に基づき映像信号記憶手段に記憶されたデジタル映像信号の一部分を補間する補間制御手段と、前記第１〜第３の検出手段にて検出された検出結果に基づき前記映像信号記憶手段に記憶されたデジタル映像信号の一部分を削除する削除制御手段とを備え、前記削除制御手段および前記補間制御手段はいずれか一方を選択可能なことを特徴とする信号再生記録装置。
【請求項７】
削除制御手段は、再生信号処理手段で再生される連続するドロップアウト期間を検出する第１の検出手段、制御信号再生手段で再生される同期信号の欠落期間を検出する第２の検出手段、コントロール信号再生手段で再生されるコントロール信号の無記録期間を検出する第３の検出手段の以上３つの検出手段の中で１つもしくは２つの組み合わせと、前記第１〜第３の検出手段の中で１つもしくは２つの組み合わせによる検出手段にて検出された検出結果に基づき前記映像信号記憶手段に記憶されたデジタル映像信号の一部分を削除することを特徴とする請求項４記載の信号再生記録装置。
【請求項８】
補間制御手段は、前記再生信号処理手段で再生される連続するドロップアウト期間を検出する第１の検出手段、前記制御信号再生手段で再生される同期信号の欠落期間を検出する第２の検出手段、コントロール信号再生手段で再生されるコントロール信号の無記録期間を検出する第３の検出手段の以上３つの検出手段の中で１つもしくは２つの組み合わせと、前記第１〜第３の検出手段の中で１つもしくは２つの組み合わせによる検出手段にて検出された検出結果に基づき前記映像信号記憶手段に記憶されたデジタル映像信号の一部分を補間することを特徴とする請求項５記載の信号再生記録装置。
【請求項９】
再生信号処理手段で再生される連続するドロップアウト期間を検出する第１の検出手段、制御信号再生手段で再生される同期信号の欠落期間を検出する第２の検出手段、コントロール信号再生手段で再生されるコントロール信号の無記録期間を検出する第３の検出手段の以上３つの検出手段の中で１つもしくは２つの組み合わせと、前記第１〜第３の検出手段の中で１つもしくは２つの組み合わせによる検出手段にて検出された検出結果に基づき映像信号記憶手段に記憶されたデジタル映像信号の一部分を補間する補間制御手段と、前記第１〜第３の検出手段にて検出された検出結果に基づき前記映像信号記憶手段に記憶されたデジタル映像信号の一部分を削除する削除制御手段とを備え、前記削除制御手段および前記補間制御手段はいずれか一方を選択可能なことを特徴とする請求項６記載の信号再生記録装置。
【発明の詳細な説明】
【技術分野】
【０００１】
本発明は、ビデオテープに代表されるテープ状記録媒体と、ＤＶＤやハードディスク（以下、ＨＤＤと記す）に代表される光ディスクあるいは磁気ディスクとを１つの筐体内に装填または装備し、テープ状記録媒体に記録された信号をＤＶＤやＨＤＤにダビング可能な信号再生記録装置に関するものである。
【背景技術】
【０００２】
近年、テレビ番組を記録する家庭用ＡＶ機器が、従来のビデオテープレコーダー（ＶＴＲ）から、ＤＶＤやＨＤＤなどの大容量デジタル記録装置に置き換わりつつある。その中で、これまでＶＴＲでビデオテープに録画してきた映像音声信号を、ＤＶＤやＨＤＤにダビングして残すユーザーが増えてきている。そういったダビングに有効な機器として、ビデオテープに代表されるテープ状記録媒体と、ＤＶＤやＨＤＤに代表される光ディスクあるいは光磁気ディスクとを１つの筐体内に装填または装備し、テープ状記録媒体に記録された信号をＤＶＤやＨＤＤにダビングする商品が普及しつつある。
【０００３】
図１３は従来の信号記録再生装置の全体構成を示すブロック図である。図において、３１は少なくとも映像信号が記録されたテープ状記録媒体であるテープで、映像信号の他、音声信号や制御信号などが記録されている。３２はテープ３１に記録された映像信号を再生し且つドロップアウト部分を検出する再生信号処理手段である再生信号処理回路、３３は再生信号処理回路３２からのアナログ信号をデジタル信号に変換するアナログデジタル変換手段であるＡ／Ｄ変換回路、３４はＡ／Ｄ変換回路３３からデジタル映像信号を一時的に記憶する映像信号記憶手段である映像メモリで、内部に複数のメモリとメモリ制御回路などを備えている。３５は映像メモリ３４からの映像信号より映像ストリームを生成するストリーム生成手段であるストリーム生成回路、３６はストリーム生成回路３５からのストリーム信号を記録する記録媒体で、ＤＶＤやＨＤＤなどのデジタル記録媒体からなる。本構成では、上記構成を１つの筐体内に備えている。
【０００４】
図１２はＶＴＲとＤＶＤまたはＨＤＤとの一体機の構成を示す斜視図である、図において、４１は本体、４４は信号が記録されたテープ状記録媒体であるビデオテープ、４５は信号が記録された円盤状記録媒体であるディスク、４２はビデオテープ４４を挿入可能な挿入口、４３はディスク４５を装填可能なトレイであり、本構成ではトレイとしたが、スロットインタイプの場合の挿入口としてもよい。４６は本体４１に内蔵されたＨＤＤである。本構成において、ディスク４５とＨＤＤ４６とは共存してもよいし、いずれか一方を備える構成としてもよい。
【０００５】
図１１は映像信号記憶回路の内部構成を示すブロック図で、３４ｂはＡ／Ｄ変換回路３３から出力されるデジタル映像信号が書き込まれる第１のメモリで、いわゆるバッファメモリに相当する。３４ｃは第１のメモリ３４ｂから読み出されたデジタル映像信号が書き込まれる第２のメモリ、３４ａは第１及び第２のメモリ３４ｂ及び３４ｃの書き込み読み出し制御を行うメモリ制御回路である。
【０００６】
以上のように構成された従来の信号記録再生装置について、以下その動作について説明する。
【０００７】
まず図１２において、ビデオテープ４４に記録された信号をディスク４５やＨＤＤ４６にダビングする場合、まずはビデオテープ４４を挿入口４２に挿入して、本体４１内に装填し再生待機状態とする。次に、イジェクトスイッチ（図示せず）などを操作してトレイ４３を引き出し、ディスク４５をトレイ４３に載置し、再びトレイ４３を本体４１内へ挿入し、記録待機状態とする。ここで、ビデオテープ４４とディスク４５の装填方法は逆であっても、同時であっても構わない。また、ディスク４５を挿入しなくとも、本体４１内にはＨＤＤが内蔵されているので、ダビング待機状態とすることができる。次に、本体４１に設けられた、ＶＴＲ側の再生ボタン及び一時停止ボタンを操作して、ＶＴＲ側を再生待機状態とし、ディスク側の録画ボタン及び一時停止ボタンを操作して、ディスク側を録画待機状態とする。なお、本構成ではＶＴＲ側とディスク側とを独立して操作してダビング待機状態に移行するよう操作説明したが、１つのダビング専用ボタン（いわゆるワンタッチダビングボタン）を１回操作することで、ＶＴＲ側およびディスク側をダビング待機状態とする機能であっても構わない。
【０００８】
次に、ダビング動作について図１３を用いて説明する。
【０００９】
ダビング動作が開始すると、まずテープ３１からヘッドなどで再生された信号が再生信号処理回路３２及び制御信号再生回路に入力される。再生信号処理回路３２では入力される信号をアナログの映像信号に変換するための各種信号処理が施される。再生信号処理回路３２から出力された映像信号はＡ／Ｄ変換回路３３でアナログ映像信号からデジタル映像信号に変換されて、映像メモリ３４に入力される。映像メモリ３４では入力されるデジタル映像を時系列的に並べて出力する。出力された信号はストリーム生成回路３５で、記録媒体３６に記録するためのストリーム信号を生成する。生成されたストリーム信号は、ＨＤＤやＤＶＤなどからなるデジタル記録媒体３６にデジタル記録される。
【特許文献１】特開平１０−１０５１１２号公報
【発明の開示】
【発明が解決しようとする課題】
【００１０】
しかしながら上記従来の構成では、テープに記録された映像信号をＨＤＤやＤＶＤなどからなるデジタル記録媒体にダビングをする際、図４（ａ）及び（ｂ）に挙げられるようなテープ上の傷等の何らかの原因による映像信号の欠陥、および図４（ｃ）及び（ｄ）に示すような無記録部分をそのまま記録することになり、デジタル記録媒体上に不要な記録部分ができてしまうという課題があった。
【００１１】
本発明は上記課題を鑑み、テープに記録された映像信号をＨＤＤやＤＶＤなどからなるデジタル記録媒体にダビングをする際、テープ上の傷等の何らかの原因による映像信号の欠陥、および無記録部分を自動的に削除することで、デジタル記録媒体上に不要な部分が記録されないので、媒体の記憶容量を節約することができる信号再生記録装置を提供することを目的とする。
【課題を解決するための手段】
【００１２】
この目的を達成するために本発明の信号記録再生装置は、少なくとも映像信号が記録されたテープと、前記テープに記録された映像信号を再生し且つドロップアウト部分を検出する再生信号処理手段と、前記再生信号処理手段からのアナログ信号をデジタル信号に変換するＡ／Ｄ変換手段と、前記Ａ／Ｄ変換手段からデジタル映像信号を一時的に記憶する映像信号記憶手段と、前記映像信号記憶手段からの映像信号より映像ストリームを生成するストリーム生成手段と、前記ストリーム生成手段からのストリーム信号を記録する記録媒体と、前記テープから再生される同期信号とコントロール信号を再生する制御信号再生手段と、前記再生信号処理手段で再生される連続するドロップアウト期間を検出する第１の検出手段と、前記制御信号再生手段で再生される同期信号の無記録期間を検出する第２の検出手段と、前記制御信号再生手段で再生されるコントロール信号の無記録期間を検出する第３の検出手段と、前記第１〜第３の検出手段にて検出された検出結果に基づき前記映像信号記憶手段に記憶されたデジタル映像信号の一部分を削除する削除制御手段とを備えたものである。
【００１３】
これにより、テープに記録された映像信号をＨＤＤやＤＶＤなどからなるデジタル記録媒体にダビングをする際、テープ上の傷等の何らかの原因による映像信号の欠陥、および無記録部分を自動的に削除することで、デジタル記録媒体上に不要な部分が記録されないので、媒体の記憶容量を節約することができる。
【発明の効果】
【００１４】
以上のように本発明によれば、テープに記録された映像信号をＨＤＤやＤＶＤなどからなるデジタル記録媒体にダビングをする際、テープ上の傷等の何らかの原因による映像信号の欠陥、および無記録部分を自動的に削除することで、デジタル記録媒体上に不要な部分が記録されないので、媒体の記憶容量を節約することができる。
【００１５】
また、上記部分を自動的に削除・補間することで、デジタル記録媒体上の映像信号を再生する際の映像品格を良くすることが可能である。
【発明を実施するための最良の形態】
【００１６】
本発明の請求項１〜６に記載の発明は、少なくとも映像信号が記録されたテープと、前記テープに記録された映像信号を再生し且つドロップアウト部分を検出する再生信号処理手段と、前記再生信号処理手段からのアナログ信号をデジタル信号に変換するＡ／Ｄ変換手段と、前記Ａ／Ｄ変換手段からデジタル映像信号を一時的に記憶する映像信号記憶手段と、前記映像信号記憶手段からの映像信号より映像ストリームを生成するストリーム生成手段と、前記ストリーム生成手段からのストリーム信号を記録する記録媒体と、前記テープから再生される同期信号とコントロール信号を再生する制御信号再生手段と、前記再生信号処理手段で再生される連続するドロップアウト期間を検出する第１の検出手段、前記制御信号再生手段で再生される同期信号の無記録期間を検出する第２の検出手段、前記制御信号再生手段で再生されるコントロール信号の無記録期間を検出する第３の検出手段の以上３つの検出手段の全てもしくは１つ以上２つ以下の組み合わせと、前記第１〜第３の検出手段の中で全てもしくは１つ以上２つ以下の組み合わせによる検出手段にて検出された検出結果に基づき前記映像信号記憶手段に記憶されたデジタル映像信号の一部分を削除する削除手段もしくは補完する補間手段とを備え、また、これらの削除・補間手段を選択可能とする選択手段を付加したものであってもよい。
【００１７】
以下、本発明の実施の形態について、図面を用いて説明する。
【００１８】
（実施の形態１）
図１は実施の形態１の全体の構成を示すブロック図であり、図１１は映像信号記憶手段内の構成を示すブロック図であり、図５と図６は図１１の映像信号記憶手段内のメモリの振る舞いを示したもので、図８は第１の検出手段、図９は第２の検出手段、図１０は第３の検出手段にて検出される信号の正常時との信号比較を示している。
【００１９】
図１において、３１は少なくとも映像信号が記録された第１の記録媒体であるテープで、映像信号の他、音声信号や制御信号などが記録されている。本実施の形態では、テープ３１はアナログ記録のビデオテープを想定したものであるが、ＤＶフォーマットで記録されるデジタルビデオテープであっても構わない。デジタルビデオテープを用いる際は、図１のＡ／Ｄ変換回路３３は不要で、映像信号再生回路３２から出力された再生映像信号（デジタル）を直接映像信号記憶回路３４に入力する構成となる。３２はテープ３１に記録された映像信号を再生し且つドロップアウト部分を検出する再生信号処理手段である再生信号処理回路、５１はテープ３１に記録された映像信号に含まれる同期信号を再生する制御信号再生手段である制御信号再生回路、５２はテープ３１に記録されたコントロール信号を再生する手段であるコントロール信号再生回路、３３は再生信号処理回路３２からのアナログ信号をデジタル信号に変換するアナログデジタル変換手段であるＡ／Ｄ変換回路、３４はＡ／Ｄ変換回路３３からデジタル映像信号を一時的に記憶する映像信号記憶手段である映像メモリで、内部に複数のメモリとメモリ制御回路などを備えている。３５は映像メモリ３４からの映像信号より映像ストリームを生成するストリーム生成手段であるストリーム生成回路、３６はストリーム生成回路３５からのストリーム信号を記録する第２の記録媒体であるデジタル記録媒体で、記録型の光ディスク（ＤＶＤやＣＤなど）やハードディスク（ＨＤＤ）や光磁気ディスク（ＭＤやＭＯなど）や半導体メモリ（メモリカードなど）などのデジタル記録媒体である。
【００２０】
５３は映像信号再生回路３２で検出された図４および図８で示されるドロップアウト部分の情報をもとにドロップアウト期間を検出し欠陥期間情報として持つことのできる映像信号欠陥検出手段である映像信号欠陥検出回路、５４は５１で再生された制御信号をもとに図４（ａ）および図９（ａ）で示される欠陥による水平同期信号の欠落部分を検出して欠陥期間情報として持つことができる同期信号欠陥検出手段である同期信号欠陥検出回路、５５は制御信号再生手段５２で再生されたコントロール信号をもとに図４（ｃ）および図１０（ｃ）で示される無記録部分を検出して無記録期間情報として持つことができるコントロール信号欠落検出手段であるコントロール信号欠落検出回路、５６は映像信号欠陥検出回路５３または同期信号欠陥検出回路５４またはコントロール信号欠陥検出回路５５が持つ各期間情報に基づき映像信号記憶手段３４である映像メモリに対し当該期間にあたる映像メモリ内の記憶内容を操作するよう働きかけることができる映像信号削除手段である映像信号削除回路からなる。本構成では、上記構成を１つの筐体内に備えている。
【００２１】
図１２はＶＴＲとＤＶＤまたはＨＤＤとの一体機の構成を示す斜視図である、図において、４１は本体、４４は信号が記録されたテープ状記録媒体であるビデオテープ、４５は信号が記録された円盤状記録媒体であるディスク、４２はビデオテープ４４を挿入可能な挿入口、４３はディスク４５を装填可能なトレイであり、本構成ではトレイとしたが、スロットインタイプの場合の挿入口としてもよい。４６は本体４１に内蔵されたＨＤＤである。本構成において、ディスク４５とＨＤＤ４６とは共存してもよいし、いずれか一方を備える構成としてもよい。
【００２２】
図１１は映像信号記憶回路の内部構成を示すブロック図で、３４ｂはＡ／Ｄ変換回路３３から出力されるデジタル映像信号が書き込まれる第１のメモリで、いわゆるバッファメモリに相当する。３４ｃは第１のメモリ３４ｂから読み出されたデジタル映像信号が書き込まれる第２のメモリ、３４ａは第１及び第２のメモリ３４ｂ及び３４ｃの書き込み読み出し制御を行うメモリ制御回路である。
【００２３】
以上のように構成された本実施の形態の信号再生記録装置について、以下その動作について説明する。
【００２４】
まず図１２において、ビデオテープ４４に記録された信号をディスク４５やＨＤＤ４６にダビングする場合、まずはビデオテープ４４を挿入口４２に挿入して、本体４１内に装填し再生待機状態とする。次に、イジェクトスイッチ（図示せず）などを操作してトレイ４３を引き出し、ディスク４５をトレイ４３に載置し、再びトレイ４３を本体４１内へ挿入し、記録待機状態とする。ここで、ビデオテープ４４とディスク４５の装填方法は逆であっても、同時であっても構わない。また、ディスク４５を挿入しなくとも、本体４１内にはＨＤＤが内蔵されているので、ダビング待機状態とすることができる。次に、本体４１に設けられた、ＶＴＲ側の再生ボタン及び一時停止ボタンを操作して、ＶＴＲ側を再生待機状態とし、ディスク側の録画ボタン及び一時停止ボタンを操作して、ディスク側を録画待機状態とする。なお、本構成ではＶＴＲ側とディスク側とを独立して操作してダビング待機状態に移行するよう操作説明したが、１つのダビング専用ボタン（いわゆるワンタッチダビングボタン）を１回操作することで、ＶＴＲ側およびディスク側をダビング待機状態とする機能であっても構わない。
【００２５】
次に、本構成時のダビング動作と図４に示すような状態時のダビング動作について図１を用いて説明する。
【００２６】
ダビング時に図４に示すテープ上の欠陥部分が再生された場合、第１例として映像信号再生回路３２にてドロップアウト部分が検出され、これをもとに映像信号欠陥検出が行われ、欠陥期間情報が映像信号欠陥検出回路５３にて確保される。また、第２例として制御信号再生回路５１にて欠陥部分の水平同期信号が欠落することで、欠陥期間情報が同期信号欠陥期間検出回路５４にて確保される。また、図４（ｃ）に示すテープ上の無記録部分が再生された場合、コントロール信号再生回路５２にてコントロール信号の欠落部分が再生され、この欠落期間が無記録期間情報としてコントロール信号欠落検出回路５５にて確保される。
【００２７】
そして、これら欠陥期間情報および無記録期間情報をもとに、映像信号削除回路５６により図５もしくは図６に示す映像メモリ３４の操作方法に従い、図１１に示すように第１のメモリ３４ｂから第２のメモリ３４ｃへ映像データを転送するよう指示がされる。
【００２８】
ここで、図５は図１で示す映像信号記憶回路３４の内部の処理方法を模式的に示したものであり、この処理方法は第１のメモリ３４ｂに一時的に記憶された内容の中で欠陥期間に相当する部分以外を時間軸上の先頭メモリ側に詰めて第２のメモリ３４ｃに転送することで、結果として欠陥期間を削除するものである。
【００２９】
図６は図１で示す映像信号記憶回路３４の内部の処理方法を模式的に示したものであり、この処理方法は第１のメモリ３４ｂに一時的に記憶された内容の中で無記録期間に相当する部分以外を時間軸上の先頭メモリ側に詰めて第２のメモリ３４ｃに転送することで、結果として無記録期間を削除するものである。
【００３０】
そして、この映像メモリ３４の第２のメモリ３４ｃの内容が時系列的に並べて出力され、出力された信号はストリーム生成回路３５で、記録媒体３６に記録するためのストリーム信号として生成され、生成されたストリーム信号は、ＨＤＤやＤＶＤなどからなるデジタル記録媒体３６にデジタル記録される。
【００３１】
以上のように本実施の形態によれば、映像信号欠陥検出回路５３と同期信号欠陥検出回路５４とコントロール信号欠陥検出回路５５からの欠陥検出信号及び無記録部検出信号に基づき、映像信号削除回路５６が映像メモリ３４を制御して、欠陥が存在する映像や無記録部の映像を削除するよう動作することにより、テープ３１からデジタル記録媒体３６へのダビング時に、欠陥や無記録部を省いた良好な映像信号をダビングすることができる。
【００３２】
なお、本実施の形態の映像信号削除回路５６は、映像信号欠陥検出回路５３と同期信号欠陥検出回路５４とコントロール信号欠陥検出回路５５からの欠陥検出信号及び無記録部検出信号に基づき、映像信号の削除処理をする構成であるが、映像信号欠陥検出回路５３と同期信号欠陥検出回路５４とコントロール信号欠陥検出回路５５からの全ての欠陥検出信号と無記録部検出信号とが揃った段階で映像の削除をするよう制御する構成としてもよいし、いずれか１つまたは２つの検出信号が入力されれば映像信号を削除するよう制御する構成としてもよい。
【００３３】
また、本実施の形態ではＡ／Ｄ変換回路３３を設けた構成としたが、テープ３１にデジタルビデオテープなどのようにデジタル記録されたテープを用いると、デジタル信号への変換は不要なので、Ａ／Ｄ変換回路３３を省くことができる。その際は、映像信号再生回路３２の出力が直接映像信号記憶回路３４に入力される構成とする。
【００３４】
（実施の形態２）
次に、本発明の実施の形態２について説明する。
【００３５】
図２は実施の形態２の全体の構成を示すブロック図であり、図１１は映像信号記憶手段内の構成を示すブロック図であり、図７は図１１の映像信号記憶手段内のメモリの振る舞いを示したもので、図８は第１の検出手段、図９は第２の検出手段にて検出される信号の正常時との信号比較を示している。
【００３６】
図２において、３１は少なくとも映像信号が記録された第１の記録媒体であるテープで、映像信号の他、音声信号や制御信号などが記録されている。本実施の形態では、テープ３１はアナログ記録のビデオテープを想定したものであるが、ＤＶフォーマットで記録されるデジタルビデオテープであっても構わない。デジタルビデオテープを用いる際は、図１のＡ／Ｄ変換回路３３は不要で、映像信号再生回路３２から出力された再生映像信号（デジタル）を直接映像信号記憶回路３４に入力する構成となる。３２はテープ３１に記録された映像信号を再生し且つドロップアウト部分を検出する再生信号処理手段である再生信号処理回路、５１は３１に記録された映像信号に含まれる同期信号を再生する制御信号再生手段である制御信号再生回路、５２は３１に記録されたコントロール信号を再生する手段であるコントロール信号再生回路、３３は再生信号処理回路３２からのアナログ信号をデジタル信号に変換するアナログデジタル変換手段であるＡ／Ｄ変換回路、３４はＡ／Ｄ変換回路３３からデジタル映像信号を一時的に記憶する映像信号記憶手段である映像メモリで、内部に複数のメモリとメモリ制御回路などを備えている。３５は映像メモリ３４からの映像信号より映像ストリームを生成するストリーム生成手段であるストリーム生成回路、３６はストリーム生成回路３５からのストリーム信号を記録する第２の記録媒体であるデジタル記録媒体で、記録型の光ディスク（ＤＶＤやＣＤなど）やハードディスク（ＨＤＤ）や光磁気ディスク（ＭＤやＭＯなど）や半導体メモリ（メモリカードなど）などのデジタル記録媒体である。
【００３７】
５３は映像信号再生回路３２で検出された図４および図８で示されるドロップアウト部分の情報をもとにドロップアウト期間を検出し欠陥期間情報として持つことのできる映像信号欠陥検出手段である映像信号欠陥検出回路、５４は制御信号再生回路５１で再生された制御信号をもとに図４（ａ）および図９（ａ）で示される欠陥による水平同期信号の欠落部分を検出して欠陥期間情報として持つことができる同期信号欠陥検出手段である同期信号欠陥検出回路、５５はコントロール信号再生回路５２で再生されたコントロール信号をもとに図４（ｃ）および図１０（ｃ）で示される無記録部分を検出して無記録期間情報として持つことができるコントロール信号欠落検出手段であるコントロール信号欠落検出回路、５７は映像信号欠陥検出回路５３または同期信号欠陥検出回路５４またはコントロール信号欠陥検出回路５５が持つ各期間情報に基づき映像信号記憶手段である映像メモリ３４に対し当該期間にあたる映像メモリ内の記憶内容を操作するよう働きかけることができる映像信号補間手段である映像信号補間回路からなる。なお、本構成では、上記構成を１つの筐体内に備えている。
【００３８】
以上のように構成された本実施の形態の信号再生記録装置について、以下その動作について説明する。
【００３９】
まず、本構成時のダビング動作と図４に示すような３１のテープ状態時のダビング動作について図２を用いて説明する。
【００４０】
ダビング時に図４に示すテープ上の欠陥部分が再生された場合、第１例として映像信号再生回路３２にてドロップアウト部分か検出されこれをもとに映像信号欠陥検出が行われ欠陥期間情報が映像信号欠陥検出回路５３にて確保される。また、第２例として制御信号再生回路５１にて欠陥部分の水平同期信号が欠落することで欠陥期間情報が同期信号欠陥期間検出回路５４にて確保される。
【００４１】
そして、これら欠陥期間情報をもとに、映像信号補間回路５７により図７に示す映像メモリ３４の操作方法に従い、第１のメモリ３４ｂから第２のメモリ３４ｃへ映像データを転送するよう指示がされる。
【００４２】
ここで、図７は図２で示す映像信号記憶回路３４の内部の処理方法であり、この処理方法は第１のメモリ３４ｂに一時的に記憶された内容の中で欠陥期間に相当する部分については欠陥部分直前の正常部分の映像を代用として第２のメモリ３４ｃに順次転送することで、結果として欠陥部分を直前の映像で補間するものである。
【００４３】
そして、この映像メモリ３４の第２のメモリ３４ｃの内容が時系列的に並べて出力され、出力された信号はストリーム生成回路３５で、記録媒体３６に記録するためのストリーム信号として生成され、生成されたストリーム信号は、ＨＤＤやＤＶＤなどからなるデジタル記録媒体３６にデジタル記録される。
【００４４】
以上のように本実施の形態によれば、映像信号欠陥検出回路５３と同期信号欠陥検出回路５４とコントロール信号欠陥検出回路５５からの欠陥検出信号及び無記録部検出信号に基づき、映像信号補間回路５７が映像メモリ３４を制御して、欠陥が存在する映像や無記録部の映像を他の映像に補間するよう動作することにより、テープ３１からデジタル記録媒体３６へのダビング時に、欠陥や無記録部を省いた良好な映像信号をダビングすることができる。
【００４５】
なお、本実施の形態の映像信号補間回路５７は、映像信号欠陥検出回路５３と同期信号欠陥検出回路５４とコントロール信号欠陥検出回路５５からの欠陥検出信号及び無記録部検出信号に基づき、映像信号の補間処理をする構成であるが、映像信号欠陥検出回路５３と同期信号欠陥検出回路５４とコントロール信号欠陥検出回路５５からの全ての欠陥検出信号と無記録部検出信号とが揃った段階で映像の補間をするよう制御する構成としてもよいし、いずれか１つまたは２つの検出信号が入力されれば映像信号を補間するよう制御する構成としてもよい。
【００４６】
また、本実施の形態ではＡ／Ｄ変換回路３３を設けた構成としたが、テープ３１にデジタルビデオテープなどのようにデジタル記録されたテープを用いると、デジタル信号への変換は不要なので、Ａ／Ｄ変換回路３３を省くことができる。その際は、映像信号再生回路３２の出力が直接映像信号記憶回路３４に入力される構成とする。
【００４７】
（実施の形態３）
次に、本発明の実施の形態３について説明する。
【００４８】
図３は実施の形態３の全体の構成を示すブロック図であり、図１１は映像信号記憶手段内の構成を示すブロック図であり、図５と図６は図１１の映像信号記憶手段内のメモリの振る舞いを示したもので、図８は第１の検出手段、図９は第２の検出手段、図１０は第３の検出手段にて検出される信号の正常時との信号比較を示している。
【００４９】
図３において、３１は少なくとも映像信号が記録された第１の記録媒体であるテープで、映像信号の他、音声信号や制御信号などが記録されている。本実施の形態では、テープ３１はアナログ記録のビデオテープを想定したものであるが、ＤＶフォーマットで記録されるデジタルビデオテープであっても構わない。デジタルビデオテープを用いる際は、図１のＡ／Ｄ変換回路３３は不要で、映像信号再生回路３２から出力された再生映像信号（デジタル）を直接映像信号記憶回路３４に入力する構成となる。３２はテープ３１に記録された映像信号を再生し且つドロップアウト部分を検出する再生信号処理手段である再生信号処理回路、５１は３１に記録された映像信号に含まれる同期信号を再生する制御信号再生手段である制御信号再生回路、５２は３１に記録されたコントロール信号を再生する手段であるコントロール信号再生回路、３３は再生信号処理回路３２からのアナログ信号をデジタル信号に変換するアナログデジタル変換手段であるＡ／Ｄ変換回路、３４はＡ／Ｄ変換回路３３からデジタル映像信号を一時的に記憶する映像信号記憶手段である映像メモリで、内部に複数のメモリとメモリ制御回路などを備えている。３５は映像メモリ３４からの映像信号より映像ストリームを生成するストリーム生成手段であるストリーム生成回路、３６はストリーム生成回路３５からのストリーム信号を記録する第２の記録媒体であるデジタル記録媒体で、記録型の光ディスク（ＤＶＤやＣＤなど）やハードディスク（ＨＤＤ）や光磁気ディスク（ＭＤやＭＯなど）や半導体メモリ（メモリカードなど）などのデジタル記録媒体である。
【００５０】
５３は映像信号再生回路３２で検出された図４および図８で示されるドロップアウト部分の情報をもとにドロップアウト期間を検出し欠陥期間情報として持つことのできる映像信号欠陥検出手段である映像信号欠陥検出回路、５４は制御信号再生回路５１で再生された制御信号をもとに図４（ａ）および図９（ａ）で示される欠陥による水平同期信号の欠落部分を検出して欠陥期間情報として持つことができる同期信号欠陥検出手段である同期信号欠陥検出回路、５５はコントロール信号再生回路５２で再生されたコントロール信号をもとに図４（ｃ）および図１０（ｃ）で示される無記録部分を検出して無記録期間情報として持つことができるコントロール信号欠落検出手段であるコントロール信号欠落検出回路、５６は５３または５４または５５が持つ各期間情報に基づき３４の映像信号記憶手段である映像メモリに対し当該期間にあたる映像メモリ内の記憶内容を操作するよう働きかけることができる映像信号削除手段である映像信号削除回路、５７は映像信号欠陥検出回路５３または同期信号欠陥検出回路５４またはコントロール信号欠陥検出回路５５が持つ各期間情報に基づき映像信号記憶手段である映像メモリ３４に対し当該期間にあたる映像メモリ内の記憶内容を操作するよう働きかけることができる映像信号補間手段である映像信号補間回路、５８は映像信号削除回路５６と映像信号補間回路５７とを選択可能とする選択手段である選択回路からなる。選択回路５８は、本装置における初期設定機能などを用いて、欠陥または無記録発生時の対応として「削除」か「補間」かを、使用者が任意に選択可能としたものであるが、選択方法についてはこれに限定されない。なお、本構成では、上記構成を１つの筐体内に備えている。
【００５１】
以上のように構成された本実施の形態の信号再生記録装置について、以下その動作について説明する。
【００５２】
本構成時のダビング動作と図４に示すような３１のテープ状態時のダビング動作について図３を用いて説明する。
【００５３】
ダビング時に図４（ａ）に示すように、テープ上の欠陥部分が再生された場合、第１例として映像信号再生回路３２にてドロップアウト部分か検出され、これをもとに映像信号欠陥検出が行われ欠陥期間情報が映像信号欠陥検出回路５３にて確保される。また、第２例として制御信号再生回路５１にて欠陥部分の水平同期信号が欠落することで欠陥期間情報が同期信号欠陥期間検出回路５４にて確保される。また、図４（ｃ）に示すテープ上の無記録部分が再生された場合、コントロール信号再生回路５２にてコントロール信号の欠落部分が再生され、この欠落期間が無記録期間情報としてコントロール信号欠落検出回路５５にて確保される。
【００５４】
そして、これら欠陥期間情報および無記録期間情報をもとに、選択回路５８にて映像信号削除回路５６が選択された場合には、映像信号削除回路５６により図５もしくは図６に示す映像メモリ３４の操作方法に従い、第１のメモリ３４ｂから第２のメモリ３４ｃへ映像データを転送するよう指示がされる。
【００５５】
ここで、図５は図３で示す映像信号記憶回路３４の内部の処理方法を模式的に示したものであり、この処理方法は第１のメモリ３４ｂに一時的に記憶された内容の中で欠陥期間に相当する部分以外を時間軸上の先頭メモリ側に詰めて第２のメモリ３４ｃに転送することで、結果として欠陥期間を削除するものである。
【００５６】
図６は図３で示す映像信号記憶回路３４の内部の処理方法を模式的に示したものであり、この処理方法は第１のメモリ３４ｂに一時的に記憶された内容の中で無記録期間に相当する部分以外を時間軸上の先頭メモリ側に詰めて第２のメモリ３４ｃに転送することで、結果として無記録期間を削除するものである。
【００５７】
そして、選択回路５８にて映像信号補間回路５７が選択された場合には、映像信号補間回路５７により図７に示す映像メモリ３４の操作方法に従い、第１のメモリ３４ｂから第２のメモリ３４ｃへ映像データを転送するよう指示がされる。
【００５８】
ここで、図７は図２で示す映像信号記憶回路３４の内部の処理方法であり、この処理方法は第１のメモリ３４ｂに一時的に記憶された内容の中で欠陥期間に相当する部分については欠陥部分直前の正常部分の映像を代用として第２のメモリ３４ｃに順次転送することで、結果として欠陥部分を直前の映像で補間するものである。
【００５９】
そして、この映像メモリ３４の第２のメモリ３４ｃの内容が時系列的に並べて出力され、出力された信号はストリーム生成回路３５で、記録媒体３６に記録するためのストリーム信号として生成され、生成されたストリーム信号は、ＨＤＤやＤＶＤなどからなるデジタル記録媒体３６にデジタル記録される。
【００６０】
以上のように本実施の形態によれば、映像信号欠陥検出回路５３と同期信号欠陥検出回路５４とコントロール信号欠陥検出回路５５からの欠陥検出信号及び無記録部検出信号に基づき、映像信号補間回路５７が映像メモリ３４を制御して、欠陥が存在する映像や無記録部の映像を他の映像に補間するよう動作することにより、テープ３１からデジタル記録媒体３６へのダビング時に、欠陥や無記録部を省いた良好な映像信号をダビングすることができる。
【００６１】
なお、本実施の形態の映像信号補間回路５７は、映像信号欠陥検出回路５３と同期信号欠陥検出回路５４とコントロール信号欠陥検出回路５５からの欠陥検出信号及び無記録部検出信号に基づき、映像信号の補間処理をする構成であるが、映像信号欠陥検出回路５３と同期信号欠陥検出回路５４とコントロール信号欠陥検出回路５５からの全ての欠陥検出信号と無記録部検出信号とが揃った段階で映像の補間をするよう制御する構成としてもよいし、いずれか１つまたは２つの検出信号が入力されれば映像信号を補間するよう制御する構成としてもよい。
【００６２】
また、本実施の形態ではＡ／Ｄ変換回路３３を設けた構成としたが、テープ３１にデジタルビデオテープなどのようにデジタル記録されたテープを用いると、デジタル信号への変換は不要なので、Ａ／Ｄ変換回路３３を省くことができる。その際は、映像信号再生回路３２の出力が直接映像信号記憶回路３４に入力される構成とする。
【産業上の利用可能性】
【００６３】
ビデオテープに代表されるテープ状記録媒体と、ＤＶＤやハードディスクに代表される光ディスクや磁気ディスクなどのデジタル記録媒体とを１つの筐体内に装填または装備し、テープ状記録媒体に記録された信号をＤＶＤやＨＤＤにダビング可能な信号再生記録装置に関するものであるが、ダビング元の媒体とダビング先の媒体はこれらに限定されるものではなく、様々な媒体に記録された映像信号のダビング用途に利用して有効なものである。
【図面の簡単な説明】
【００６４】
【図１】本発明の実施形態１における信号記録再生装置全体構成を示すブロック図
【図２】本発明の実施形態２における信号記録再生装置全体構成を示すブロック図
【図３】本発明の実施形態３における信号記録再生装置全体構成を示すブロック図
【図４】本発明が解決しようとするテープの状態の一例とこれらを再生した時の実際の映像の一例である模式図
【図５】本発明による映像信号記憶回路の内部の処理方法で、映像信号の欠陥部分を削除する方法を示す模式図
【図６】本発明による映像信号記憶回路の内部の処理方法で、映像信号の無記録部分を削除する方法を示す模式図
【図７】本発明による映像信号記憶回路の内部の処理方法で、映像信号の欠陥部分を補間する方法を示す模式図
【図８】本発明による第１の検出手段の検出動作を説明するための模式図
【図９】本発明による第２の検出手段の検出動作を説明するための模式図
【図１０】本発明による第３の検出手段の検出動作を説明するための模式図
【図１１】映像信号記憶回路の内部構成を示すブロック図
【図１２】ＶＴＲとＤＶＤまたはＨＤＤとの一体機の構成を示す斜視図
【図１３】従来の信号記録再生装置の全体構成を示すブロック図
【符号の説明】
【００６５】
３１    テープ
３２    映像信号再生回路
３３    Ａ／Ｄ変換回路
３４    映像メモリ
３５    デジタル映像ストリーム生成回路
３６    デジタル記録媒体
５１    制御信号再生回路
５２    コントロール信号再生回路
５３    映像信号欠陥検出回路
５４    同期信号欠陥検出回路
５５    コントロール信号欠陥検出回路
５６    映像信号削除回路
５７    映像信号補間回路
５８    選択回路
【図１】
2005039648.tif 000003
【図２】
2005039648.tif 000004
【図３】
2005039648.tif 000005
【図４】
2005039648.tif 000006
【図５】
2005039648.tif 000007
【図６】
2005039648.tif 000008
【図７】
2005039648.tif 000009
【図８】
2005039648.tif 000010
【図９】
2005039648.tif 000011
【図１０】
2005039648.tif 000012
【図１１】
2005039648.tif 000013
【図１２】
2005039648.tif 000014
【図１３】
2005039648.tif 000015